(57)【要約】【課題】  遊技機一台で転倒防止の体勢を確保でき、転倒防止作業が簡単であり、移動などの作業を行うときに転倒防止の体勢を容易に解除し得る遊技機を提供することである。【解決手段】  遊技を行う遊技領域１５を前面側に形成する本体枠１２と、一方端部が遊本体枠１２に回動自在に支持され、他方端部が遊技領域１５に対して後方側へ回動する転倒防止用脚６２０と、転倒防止用脚６２０が遊技領域１５に対して後方側へ所定の最大回動角度以上に回動することを規制する脚固定ユニット６１０とを備えた。【選択図】        図２
2007075454.tif 000002
【特許請求の範囲】
【請求項１】
遊技を行う遊技領域を前面側に形成する遊技機枠体と、
一方端部が前記遊技機枠体に回動自在に支持され、他方端部が前記遊技領域に対して後方側へ回動する支持手段と、
前記支持手段が前記遊技領域に対して後方側へ所定の最大回動角度以上に回動することを規制する回動角度規制手段とを備えたことを特徴とする遊技機。
【請求項２】
前記支持手段は、一方端部が前記遊技機枠体の上部側に支持され、当該支持された部分から他方端部へ下方に延びる片持ち状の長尺状体であることを特徴とする請求項１に記載の遊技機。
【請求項３】
前記支持手段の前記支持された部分は、前記遊技機枠体の背面より内側に設けられていることを特徴とする請求項１または２に記載の遊技機。
【請求項４】
前記支持手段は、前記遊技機枠体の左右側部に一対で配置されていることを特徴とする請求項１から３のいずれかに記載の遊技機。
【請求項５】
前記支持手段の回動角度を維持させる回動角度維持手段を備えたことを特徴とする請求項１から４のいずれかに記載の遊技機。
【請求項６】
前記支持手段は、一方端部が前記遊技機枠体の下部側に支持され、当該支持された部分から他方端部へ上方に延びる片持ち状の長尺状体であり、前記回動角度維持手段により回動角度を維持されることを特徴とする請求項５に記載の遊技機。
【発明の詳細な説明】
【技術分野】
【０００１】
本発明は、例えば、パチンコ遊技装置、パチスロ遊技装置、スロットマシン等の遊技機に関する。
【背景技術】
【０００２】
従来、不使用時のパチンコ機は、不安定な状態で立設されているため、パチンコホールでの設置時や店舗内の移動時、あるいは倉庫での保管の際などに転倒してしまいやすく、その結果、故障が発生するなど不具合が生じやすい。
【０００３】
そこで、遊技機の機枠の一側面に２つの平行な溝を設け、２台の遊技機を一側面が上方に向くように並べて置き、これら２台の遊技機の溝に、別の遊技機の機枠が嵌まるように立設するような、遊技機の転倒防止用機枠が提案されている（特許文献１参照）。
【０００４】
また、パチンコ機の外枠において、底板の両端部に水平方向に９０度回転自在に固定された転倒防止用脚片を、不使用時に横方向に広げるように９０度回転させた状態とする構成が提案されている（特許文献２参照）。
【特許文献１】特開２００３−１９３１０号公報
【特許文献２】特開２００４−２２３１１１号公報
【発明の開示】
【発明が解決しようとする課題】
【０００５】
しかしながら、複数の遊技機を重ねて立設して保管する方法では、保管場所によっては好ましくない場合もある。また、このような複数の遊技機を重ねて立設した状態で移動させることも難しく、また、一台毎に移動させる場合は高く重ねられた遊技機を降ろすにも重くて苦労してしまう。
【０００６】
さらに、上記転倒防止用脚片を回転させて保管する方法では、パチンコ機の底板が視認できるようにパチンコ機を一旦傾斜させ、この傾斜状態を維持しつつ転倒防止用脚片を回転させる必要があるため、非常に作業が面倒である。
【０００７】
したがって、遊技機一台で転倒防止の体勢を確保でき、転倒防止作業が簡単であり、移動などの作業を行うときに転倒防止の体勢を容易に解除し得る遊技機の提供が望まれている。
【０００８】
本発明は、上述したような課題に鑑みてなされたものである。その目的は、遊技機一台で転倒防止の体勢を確保でき、転倒防止作業が簡単であり、移動などの作業を行うときに転倒防止の体勢を容易に解除し得る遊技機を提供することである。
【課題を解決するための手段】
【０００９】
以上のような目的を達成するために、本発明は、以下のようなものを提供する。
【００１０】
（１）  遊技を行う遊技領域を前面側に形成する遊技機枠体と、一方端部が前記遊技機枠体に回動自在に支持され、他方端部が前記遊技領域に対して後方側へ回動する支持手段と、前記支持手段が前記遊技領域に対して後方側へ所定の最大回動角度以上に回動することを規制する回動角度規制手段とを備えたことを特徴とする遊技機。
【００１１】
（１）の発明によれば、遊技機枠体に、支持手段を回動自在に取り付けることで、遊技機自体が有する支持手段を容易に回動させることが可能となり、更に支持手段が所定の最大回動角度以上に回動することを規制する回動角度規制手段を設けることで、支持手段を容易に最大回動角度まで回動させ、この状態で遊技機を傾斜させて支持手段の他方端部を、例えば、遊技機を置く床面などに接触させることにより、傾斜した遊技機を支持手段により支えて、確実に転倒防止効果を奏することが可能となる。また、傾斜させた遊技機を直立状態にし、回動させた支持手段を元の状態に戻すことで、通常の立設状態に容易に復帰させることが可能となる。これにより、遊技機一台で転倒防止の体勢を確保でき、転倒防止作業が簡単であり、移動などの作業を行うときに転倒防止の体勢を容易に解除し得る遊技機を提供できる。
【００１２】
（２）  前記支持手段は、一方端部が前記遊技機枠体の上部側に支持され、当該支持された部分から他方端部へ下方に延びる片持ち状の長尺状体であることを特徴とする（１）に記載の遊技機。
【００１３】
（２）の発明によれば、支持手段を一方端部が遊技機枠体の上部側に支持し、支持された部分から他方端部へ下方に延びる片持ち状の長尺状体とすることで、遊技機が直立した状態の無理の無い体勢で、例えば、手で支持手段の他方端部を容易に回動させることで、遊技機一台で転倒防止の体勢を確保でき、転倒防止作業が簡単であり、移動などの作業を行うときに転倒防止の体勢を容易に解除し得る遊技機を提供できる。
【００１４】
（３）  前記支持手段の前記支持された部分は、前記遊技機枠体の背面より内側に設けられていることを特徴とする（１）または（２）に記載の遊技機。
【００１５】
（３）の発明によれば、支持手段の支持された部分が、遊技機枠体の背面より内側に設けられているので、例えば、支持手段の他方端部を垂直方向となるように回動させると、支持手段全体が遊技機枠体の背面より内側に納まることになる。これにより、支持手段を取り外すことなく、遊技機を遊技場に設置することが可能であるとともに、遊技機一台で転倒防止の体勢を確保でき、転倒防止作業が簡単であり、移動などの作業を行うときに転倒防止の体勢を容易に解除し得る遊技機を提供できる。
【００１６】
（４）  前記支持手段は、前記遊技機枠体の左右側部に一対で配置されていることを特徴とする（１）から（３）のいずれかに記載の遊技機。
【００１７】
（４）の発明によれば、支持手段は、遊技機枠体の左右側部に一対で配置されているので、一対の支持手段によって、より安定した転倒防止の体勢をとりつつ、遊技機一台で転倒防止の体勢を確保でき、転倒防止作業が簡単であり、移動などの作業を行うときに転倒防止の体勢を容易に解除し得る遊技機を提供できる。
【００１８】
（５）  前記支持手段の回動角度を維持させる回動角度維持手段を備えたことを特徴とする（１）から（４）のいずれかに記載の遊技機。
【００１９】
（５）の発明によれば、支持手段の回動角度の維持を可能とする回動角度維持手段を設けることで、例えば、支持手段の回動角度を大きくし維持することで、より安定した転倒防止の体勢である遊技機の傾斜角度を確保できる一方で、支持手段の回動角度を小さくし維持することで、狭い保管場所により多くの遊技機を保管することが可能となるとともに、遊技機一台で転倒防止の体勢を確保でき、転倒防止作業が簡単であり、移動などの作業を行うときに転倒防止の体勢を容易に解除し得る遊技機を提供できる。
【００２０】
（６）  前記支持手段は、一方端部が前記遊技機枠体の下部側に支持され、当該支持された部分から他方端部へ上方に延びる片持ち状の長尺状体であり、前記回動角度維持手段により回動角度を維持されることを特徴とする（５）に記載の遊技機。
【００２１】
（６）の発明によれば、支持手段を一方端部が遊技機枠体の下部側に支持され、この支持された部分から他方端部へ上方に延びる片持ち状の長尺状体とすることで、遊技機が直立した状態で、腰を屈めることなく、例えば、手で支持手段の他方端部を持って容易に回動させることが可能となり、更に回動角度維持手段により回動角度を維持されることで、例えば、支持手段を床面に接触するまで、遊技機を傾斜させることにより、遊技機一台で転倒防止の体勢を確保でき、転倒防止作業が簡単であり、移動などの作業を行うときに転倒防止の体勢を容易に解除し得る遊技機を提供できる。
【発明の効果】
【００２２】
遊技機枠体に、支持手段を回動自在に取り付けることで、遊技機自体が有する支持手段を容易に回動させることが可能となり、更に支持手段が所定の最大回動角度以上に回動することを規制する回動角度規制手段を設けることで、支持手段を容易に最大回動限度まで回動させ、この状態で遊技機を傾斜させることにより、確実に転倒防止効果を奏することが可能となるので、遊技機一台で転倒防止の体勢を確保でき、転倒防止作業が簡単であり、移動などの作業を行うときに転倒防止の体勢を容易に解除し得る遊技機を提供できる。
【発明を実施するための最良の形態】
【００２３】
以下に、本発明に好適な実施形態について図面に基づいて説明する。尚、以下において説明する実施形態においては、本発明に係る遊技機に好適な実施形態として本発明を第１種パチンコ遊技機（デジパチとも称される。）に適用した場合を示す。
【００２４】
［遊技機の構成］
まず、遊技機の概観について図１と図２を用いて説明する。図１は、本実施形態におけるパチンコ遊技機１０の前方の概観を示す斜視図である。図２は、本実施形態におけるパチンコ遊技機１０の概観を示す分解斜視図である。
【００２５】
図１及び図２に示すように、パチンコ遊技機１０は、扉１１、本体枠１２、転倒防止ユニット６００、ベースドア１３、遊技盤１４、皿ユニット２１、液晶表示装置３２、発射装置１３０、基板ユニット４００、球払出ユニット５００、などから構成されている。
【００２６】
上述した扉１１は、ベースドア１３に対して開閉自在に軸着されている。また、この扉１１の中央には、開口１１ａが形成されている。また、この開口１１ａには、透光性を有する保護ガラス１９が配設されている。この保護ガラス１９は、扉１１が閉鎖された状態で、後述する遊技盤１４の前面に対面するように配設されている。特に、この保護ガラス１９は、少なくとも遊技領域１５の全域と対面するように配設されておればよいが、遊技領域１５に該当しない遊技盤１４の前面領域１６（図示せず）に対面するように配設されてもよい。また、扉１１は、その開口１１ａの下方に、コントロールパネル８０が配設されている。このコントロールパネル８０には、遊技球の貸し出し用ボタン８２、メニュー画面表示、メニュー選択、決定、取り消しなどのメニューボタン８４、識別情報の変動時間を短縮するための変動短縮ボタン８６などが含まれている。
【００２７】
上述した皿ユニット２１は、扉１１の下方に位置するように、ベースドア１３に配設されている。皿ユニット２１は、その上方に上皿２０が設けられている。また、上皿２０の下方には下皿２２が設けられている。上皿２０には、遊技領域１５に発射させるための遊技球が貯留される。また、上皿２０及び下皿２２には、遊技球の貸し出し、遊技球の払出し（賞球）を行うための払出口２０ａ、２２ａが形成されており、所定の条件が成立した場合には、後述する球払出ユニット５００に貯留されている遊技球が排出されることとなる。
【００２８】
上述した発射装置１３０は、皿ユニット２１の側方に位置するように、ベースドア１３に配設されている。この発射装置１３０には、遊技者によって操作可能な発射ハンドル２６が配設されている。発射ハンドル２６は、回動自在に設けられており、遊技者によって発射ハンドル２６が操作されることによりパチンコ遊技を進めることができる。また、発射ハンドル２６の裏側には、発射モータ（図示せず）が設けられている。尚、遊技を行う遊技者は、発射ハンドル２６等の操作が可能なパチンコ遊技機１０の前方側に位置することとなる。つまり、このパチンコ遊技機１０は、前方から遊技可能である。
【００２９】
また、この発射ハンドル２６の周縁には、タッチセンサ（図示せず）、発射停止スイッチ（図示せず）などが設けられている。このタッチセンサが触接されたときには、遊技者により発射ハンドル２６が握持されたと検知される。発射ハンドル２６が遊技者によって握持され、かつ、時計回り方向へ回動操作されたときには、その回動角度に応じて発射モータに電力が供給され、上皿２０に貯留された遊技球が遊技盤１４に順次発射される。また、発射ハンドル２６が回動操作されている場合であっても、この発射停止スイッチが操作されたときには、発射装置１３０によって遊技球が発射されない。
【００３０】
尚、発射ハンドル２６に設けられるタッチセンサは、遊技者が発射ハンドル２６を握持したと判別できるものであればよく、光学的に検知するものや、熱により検知するもの等、センサの種類を問わない。
【００３１】
上述した遊技盤１４は、扉１１における保護ガラス１９の後方に位置するように、ベースドア１３の前方に配設されている。この遊技盤１４は、その全部が透光性を有する板形状の樹脂によって形成されている。この透光性を有する樹脂としては、例えば、アクリル樹脂、ポリカーボネート樹脂、メタクリル樹脂など各種の材質が該当する。遊技盤１４は、その前面に、発射された遊技球が転動可能な遊技領域１５を有している。この遊技領域１５は、図１に示すように、ガイドレール３０に囲まれ、遊技球が転動可能な領域である。また、遊技盤１４における遊技領域１５には複数の障害釘（図示せず）が打ちこまれている。このように、発射装置１３０によって発射された遊技球は、遊技盤１４上に設けられたガイドレール３０に案内されて遊技盤１４の上部に移動し、その後、上述した複数の障害釘との衝突によりその進行方向を変えながら遊技盤１４の下方に向かって落下することとなる。
【００３２】
この遊技盤１４の前面中央には、始動口４４、シャッタ４０などが設けられている。この始動口４４に遊技球が入球したことを条件として、液晶表示装置３２において識別情報の可変表示が実行されることとなる。また、この識別情報の可変表示の結果に応じて、通常遊技状態よりも遊技者にとって有利な特定遊技状態（所謂、「大当り」）となる。この特定遊技状態となった場合には、シャッタ４０が開放状態に制御され、大入賞口３９に遊技球が受け入れ可能な開放状態となることがある。また、このような遊技盤１４においては、各種の役物が取り付け可能となっている。
【００３３】
上述したように、扉１１、遊技盤１４、皿ユニット２１、発射装置１３０が配設されたベースドア１３は、本体枠１２に軸着されている。ベースドア１３の中央には開口が形成されている。このため、ベースドア１３の後方に配設される液晶表示装置３２の表示領域３２ａが、透光性を有する遊技盤１４、保護ガラス１９を介して、前方から視認可能となる。また、このベースドア１３の上方には、スピーカ４６Ｌ、４６Ｒが配設される。
【００３４】
上述した液晶表示装置３２は、ベースドア１３に配設されている。この液晶表示装置３２は、遊技に関する画像を表示するための表示領域３２ａを有している。この液晶表示装置３２は、ベースドア１３を介して、遊技盤１４を後方（背面側）に配設されることとなる。また、液晶表示装置３２は、表示領域３２ａがベースドア１３を介して遊技盤１４の全部又は一部と背面側から重なるように配設されている。この液晶表示装置３２における表示領域３２ａには、特別図柄ゲームにおける識別情報、普通図柄ゲームにおける普通図柄、特別図柄ゲームにおける識別情報に伴う装飾図柄、遊技に係る背景画像、演出画像等、各種の画像が表示される。
【００３５】
このように、遊技者によってパチンコ遊技機１０の前方から遊技が行われている場合、つまり、扉１１が閉鎖した状態である場合には、透光性を有する遊技盤１４の背面側に液晶表示装置３２が配設されるとともに、遊技盤１４の前面側に透光性を有する保護ガラス１９が配設されるので、液晶表示装置３２における表示領域３２ａに表示された画像が、透光性を有する遊技盤１４及び保護ガラス１９を介して遊技者に対して視認可能となる。
【００３６】
尚、この液晶表示装置３２における表示領域３２ａに表示される画像の一例として、特別図柄ゲームにおける識別情報を挙げる。例えば、液晶表示装置３２における表示領域３２ａには、特別図柄ゲームにおける識別情報が可変表示される。この識別情報は、特別図柄ゲームにおいて主に特別図柄から構成されるものである。この識別情報は、数字や記号等からなる図柄であり、本実施形態においては、“０”から“９”までの数字を用いる。
【００３７】
「可変表示」とは、変動可能に表示される概念であり、例えば、実際に変動して表示される「変動表示」、実際に停止して表示される「停止表示」等を可能とするものである。また、「可変表示」は、特別図柄ゲームの結果として識別情報が表示される「導出表示」を行うことができる。また、変動表示が開始されてから導出表示されるまでを１回の可変表示と称する。
【００３８】
この液晶表示装置３２には、複数の図柄列（本実施形態においては３列）に対応する識別情報が可変表示される。これら複数の図柄列において識別情報の導出表示が行われ、導出表示された複数の識別情報の組合せが特定の表示態様（例えば、複数の図柄列のそれぞれに“０”から“９”のいずれかが全て揃った状態で導出表示される態様、所謂「大当り表示態様」）になったことに基づいて、遊技状態を遊技者にとって有利な特定遊技状態（所謂大当り）に移行することとなる。尚、本実施形態においては、識別情報を複数の図柄列で構成したが、これに限らず、例えば、識別情報を一列の図柄列で構成してもよく、識別情報を用いない構成であってもよい。
【００３９】
尚、本実施形態において、画像を表示する部分として液晶ディスプレイパネルからなる液晶表示装置３２を採用したが、これに限らず、他の態様であってもよく、例えば、ＣＲＴ（Ｃａｔｈｏｄｅ  Ｒａｙ  Ｔｕｂｅ）を含むブラウン管、ドットＬＥＤ、セグメントＬＥＤ、ＥＬ（Ｅｌｅｃｔｒｏｎｉｃ  Ｌｕｍｉｎｅｓｃｅｎｔ）、プラズマ等からなるものであってもよい。また、特別図柄ゲームにおける識別情報としての特別図柄などを、液晶表示装置３２の表示領域３２ａにおける所定の位置に表示するように構成したが、これに限らず、例えば、遊技者に対して視認可能な位置であれば別の態様であってもよい。また、表示手段として液晶表示装置３２を採用したが、これに限らず、別の態様であってもよく、例えば、表示手段としてドラム、ベルト、リーフ等を可変表示手段として採用してもよい。もちろん、このような表示手段を備えなくてもよい。
【００４０】
上述した本体枠１２は、遊技機１０の底面を形成する下枠と、遊技機１０の側面を形成する左右一対の縦枠と、遊技機１０の上面を形成する上枠とで構成され、木製の枠体であり、その前方にベースドア１３が軸着される。また、この本体枠１２の中央には、開口１２ａが形成されている。この開口１２ａには、上述したベースドア１３、遊技を行う遊技領域を有する遊技盤１４、液晶表示装置３２、詳しく後述する基板ユニット４００、球払出ユニット５００、転倒防止ユニット６００などが配置される。すなわち、本体枠１２は、遊技を行う遊技領域を前面側に形成する遊技機枠体の一例である。尚、本実施形態においては、木製の本体枠１２を用いた構成としたが、これに限らず、別の態様であってもよく、例えば、金属製、樹脂製の枠体を用いた構成としてもよい。
【００４１】
上述した基板ユニット４００は、ベースドア１３の後方に軸着されている。基板ユニット４００には、遊技の進行、結果を決定するための主制御回路（図示せず）を有する主制御基板（図示せず）と、画像、音、ランプなどの演出の制御を行うための副制御回路（図示せず）を有する副制御基板（図示せず）と、払出・発射制御回路（図示せず）、電力供給回路（図示せず）を有する基板（図示せず）などが内蔵されており、それらの基板が基板ケース４５０によって覆われている。
【００４２】
上述した球払出ユニット５００は、ベースドア１３の後方に軸着されている。球払出ユニット５００には、遊技球を貯留可能な遊技球貯留部としての球貯留タンク５１０と、球通路ケース５２０とから構成される。この球貯留タンク５１０には、上方に開放された開口が形成され、遊技場における球搬送設備などから供給される遊技球を受け入れる。また、球通路ケース５２０には、球貯留タンク５１０に貯留されている遊技球を、上述した払出口２０ａ、２２ａなどへと導くための二条の球通路（図示せず）が設けられている。
【００４３】
上述した転倒防止ユニット６００は、本体枠１２の左右一対の縦枠における開口内部側に設置されている。転倒防止ユニット６００は、一方端部が遊技機枠体に回動自在に支持され、他方端部が遊技領域に対して後方側へ回動する支持手段の一例である転倒防止用脚６２０と、支持手段が前記遊技領域に対して後方側へ所定の最大回動角度以上に回動することを規制する回動角度規制手段の一例である脚固定ユニット６１０とから構成されている。
【００４４】
［転倒防止ユニット］
〈第１実施形態〉
上述した転倒防止ユニット６００の構成について図３、図４を用いて説明する。図３は、転倒防止ユニット６００が本体枠１２に設置された状態を表す側面図である。図４は、転倒防止ユニット６００が本体枠１２に設置された状態を本体枠１２の下枠側から見た場合の説明図である。
【００４５】
転倒防止ユニット６００は、図３に示すように、脚固定ユニット６１０と転倒防止用脚６２０とから構成されている。また、脚固定ユニット６１０と転倒防止用脚６２０の一方端部とは、ヒンジ部６１６において本体枠１２に回動自在に係合されている。このように、支持手段の支持された部分の一例であるヒンジ部６１６は、本体枠１２の背面より内側に設けられている。これら脚固定ユニット６１０、転倒防止用脚６２０は、鋼材で形成されている。なお、本実施形態では、脚固定ユニット６１０、転倒防止用脚６２０を鋼材で形成しているが、本発明は鋼材に限定されることなく、脚固定ユニット６１０、転倒防止用脚６２０を合成樹脂や木材で形成することもできる。
【００４６】
脚固定ユニット６１０は、図４に示すように、固定部材６１２とカバー部材６１４とから構成されている。固定部材６１２は、本体枠１２の左右一対の縦枠における開口内部側であって、縦枠の上部に左右一対が同じ高さに設置されている。カバー部材６１４は、転倒防止用脚６２０を挟持するように固定部材６１２と係合する。さらに、脚固定ユニット６１０には、本体枠１２の縦枠に対して所定の角度で遊技領域１５に対して後方側へ、転倒防止用脚６２０の回動を規制する側面６１５ａが形成されている。また、脚固定ユニット６１０には、遊技領域１５に対して前方側へ、転倒防止用脚６２０の回動を規制する側面６１５ｂが形成されている。
【００４７】
換言すると、側面６１５ａが形成されている脚固定ユニット６１０は、支持手段が遊技領域に対して後方側へ所定の最大回動角度以上に回動することを規制する回動角度規制手段の一例として機能する。
【００４８】
カバー部材６１４には、“５”個所の台形状の凸部６１８ａ、６１８ｂ、６１８ｃ、６１８ｄ、６１８ｅが固定部材６１２の方に凸部が形成されている。また、凸部６１８ａ、６１８ｂ、６１８ｃ、６１８ｄ、６１８ｅは、ヒンジ部６１６からの所定寸法を半径とした回動軌道線上に所定の間隔で形成されている。転倒防止用脚６２０は、当該凸部６１８ａ、６１８ｂ、６１８ｃ、６１８ｄ、６１８ｅのいずれかと、転倒防止用脚６２０に形成された穴部６２４とが係合することにより、ヒンジ部６１６を中心とした回動角度が維持される。
【００４９】
換言すると、凸部６１８ａ、６１８ｂ、６１８ｃ、６１８ｄ、６１８ｅが形成されたカバー部材６１４を有する脚固定ユニット６１０は、支持手段の回動角度を維持させる回動角度維持手段の一例として機能する。
【００５０】
次に、転倒防止用脚６２０は、図３に示すように、一方端部がヒンジ部６１６において、本体枠１２と脚固定ユニット６１０を介して、回動自在に支持されている。また、転倒防止用脚６２０の他方端部は、ヒンジ部６１６を中心として、脚固定ユニット６１０における側面６１５ａ、６１５ｂの間の角度で回動する。
【００５１】
換言すると、転倒防止用脚６２０は、一方端部が前記遊技機枠体に回動自在に支持され、他方端部が遊技領域に対して後方側へ回動する支持手段の一例として機能する。
【００５２】
また、転倒防止用脚６２０は、本体枠１２の左右一対の縦枠における開口内部側であって、縦枠の上部に左右一対が同じ高さに設置されている固定部材６１２を有する脚固定ユニット６１０を介して、左右夫々に一対で配置されている。そして、転倒防止用脚６２０の一方端部は、本体枠１２の縦枠左右夫々に一対で設けられたヒンジ部６１６に左右夫々に一対で支持され、他方端部は自由端であり、ヒンジ部６１６から本体枠１２の下枠天端までの寸法以内の寸法で下方に伸びている。
【００５３】
換言すると、転倒防止用脚６２０は、一方端部が遊技機枠体の上部側に支持され、当該支持された部分から他方端部へ下方に延びる片持ち状の長尺状体である支持手段の一例として機能する。また、転倒防止用脚６２０は、遊技機枠体の左右側部に一対で配置されている支持手段の一例として機能する。
【００５４】
なお、本実施形態では、転倒防止用脚６２０の長手方向に直交する断面形状を矩形としているが、本発明においては、矩形に限定されることなく円形、楕円形、四角形以外の多角形等と任意の形状とすることができる。
【００５５】
また、転倒防止用脚６２０には、図４に示すように、穴部６２４が形成されている。穴部６２４は、転倒防止用脚６２０のヒンジ部６１６を中心に回動した場合に、ヒンジ部６１６からの所定寸法を半径とした回動軌道線上に形成されたカバー部材６１４における凸部６１８ａ、６１８ｂ、６１８ｃ、６１８ｄ、６１８ｅと係合するように形成されている。穴部６２４は、凸部６１８ａ、６１８ｂ、６１８ｃ、６１８ｄ、６１８ｅのいずれかの凸部の一部と係合する。
【００５６】
転倒防止ユニット６００の作用について図３、図４を用いて説明する。
【００５７】
図３に示すように、支持手段の一例である転倒防止用脚６２０の一方端部は、ヒンジ部６１６において遊技機枠体の一例である本体枠１２と回動角度規制手段の一例である脚固定ユニット６１０を介して、回動自在に支持されている。これにより、遊技機１０を倉庫等に保管する場合には、本体枠１２に格納された転倒防止用脚６２０（図３における二点鎖線の状態）を、脚固定ユニット６１０における側面６１５ａに接する状態（図３における実線の状態）まで、ヒンジ部６１６を中心に回動させることで、転倒防止用脚６２０が当該最大回動角度以上に回動することを規制できるので、遊技機１０を背面側に傾け転倒防止用脚６２０に遊技機１０の重量を掛けることが可能となる。また、遊技機１０を直立させることで、転倒防止用脚６２０に掛けられた遊技機１０の重量を解放することで、容易に転倒防止用脚６２０を本体枠１２の内側に格納することが可能となる。
【００５８】
このように、遊技機枠体に、支持手段を回動自在に取り付けることで、遊技機自体が有する支持手段を容易に回動させることが可能となり、更に支持手段が所定の最大回動角度以上に回動することを規制する回動角度規制手段を設けることで、支持手段を容易に最大回動角度まで回動させ、この状態で遊技機を傾斜させて支持手段の他方端部を、例えば、遊技機を置く床面などに接触させることにより、傾斜した遊技機を支持手段により支えて、確実に転倒防止効果を奏することが可能となる。また、傾斜させた遊技機を直立状態にし、回動させた支持手段を元の状態に戻すことで、通常の立設状態に容易に復帰させることが可能となる。これにより、遊技機一台で転倒防止の体勢を確保でき、転倒防止作業が簡単であり、移動などの作業を行うときに転倒防止の体勢を容易に解除し得る遊技機を提供できる。
【００５９】
支持手段の一例である転倒防止用脚６２０の一方端部は、本体枠１２の縦枠上部に設けられたヒンジ部６１６に支持され、他方端部は自由端であり、ヒンジ部６１６から本体枠１２の下枠天端までの寸法以内の寸法で下方に伸びている。これにより、遊技機１０を転倒防止の体勢にする場合、床面から高い位置で転倒防止用脚６２０を回動させることが可能となる。
【００６０】
このように、支持手段を一方端部が遊技機枠体の上部側に支持し、支持された部分から他方端部へ下方に延びる片持ち状の長尺状体とすることで、遊技機が直立した状態の無理の無い体勢で、例えば、手で支持手段の他方端部を容易に回動させることで、遊技機一台で転倒防止の体勢を確保でき、転倒防止作業が簡単であり、移動などの作業を行うときに転倒防止の体勢を容易に解除し得る遊技機を提供できる。
【００６１】
支持手段の支持された部分の一例であるヒンジ部６１６は、本体枠１２の背面より内側に設けられている。これにより、支持手段の一例である転倒防止用脚６２０を本体枠１２の内側に格納する（図３における二点鎖線の状態）ことが可能となる。
【００６２】
このように、支持手段の支持された部分が、遊技機枠体の背面より内側に設けられているので、例えば、支持手段の他方端部を垂直方向となるように回動させると、支持手段全体が遊技機枠体の背面より内側に納まることになる。これにより、支持手段を取り外すことなく、遊技機を遊技場に設置することが可能であるとともに、遊技機一台で転倒防止の体勢を確保でき、転倒防止作業が簡単であり、移動などの作業を行うときに転倒防止の体勢を容易に解除し得る遊技機を提供できる。
【００６３】
支持手段の一例である転倒防止用脚６２０は、遊技機枠体の一例である本体枠１２の左右一対の縦枠に同じ高さに設置されている脚固定ユニット６１０を介して、左右夫々に一対で配置されている。これにより、左右の転倒防止用脚６２０を回動させ、遊技機１０を傾け転倒防止用脚６２０に遊技機１０の重量を掛けた場合、当該重量を本体枠１２の底面と、左右に配置された転倒防止用脚６２０で支持することが可能となる。
【００６４】
このように、支持手段は、遊技機枠体の左右側部に一対で配置されているので、一対の支持手段によって、より安定した転倒防止の体勢をとりつつ、遊技機一台で転倒防止の体勢を確保でき、転倒防止作業が簡単であり、移動などの作業を行うときに転倒防止の体勢を容易に解除し得る遊技機を提供できる。
【００６５】
回動角度維持手段の一例である脚固定ユニット６１０は、カバー部材６１４における台形状の凸部６１８ａ、６１８ｂ、６１８ｃ、６１８ｄ、６１８ｅを支持手段の一例である転倒防止用脚６２０に形成された穴部６２４とを係合し、固定部材６１２とにより転倒防止用脚６２０を挟持する。これにより、転倒防止用脚６２０の回動を凸部６１８ａ、６１８ｂ、６１８ｃ、６１８ｄ、６１８ｅが設けられた角度で維持することが可能となる。また、凸部６１８ａ、６１８ｂ、６１８ｃ、６１８ｄ、６１８ｅを台形状とし、凸部６１８ａ、６１８ｂ、６１８ｃ、６１８ｄ、６１８ｅのいずれかの一部のみ穴部６２４と係合させることにより、転倒防止用脚６２０の回動方向に力を加えことで、カバー部材６１４が僅かに上部方向へたわみ、係合が解除され、隣接した凸部６１８ａ、６１８ｂ、６１８ｃ、６１８ｄ、６１８ｅのいずれかに係合させることで、転倒防止用脚６２０を異なる回動角度で維持することが可能となる。
【００６６】
このように、支持手段の回動角度の維持を可能とする回動角度維持手段を設けることで、例えば、支持手段の回動角度を大きくし維持することで、より安定した転倒防止の体勢である遊技機の傾斜角度を確保できる一方で、支持手段の回動角度を小さくし維持することで、狭い保管場所により多くの遊技機を保管することが可能となるとともに、遊技機一台で転倒防止の体勢を確保でき、転倒防止作業が簡単であり、移動などの作業を行うときに転倒防止の体勢を容易に解除し得る遊技機を提供できる。
【００６７】
なお、前記支持手段は、前記回動角度維持手段に接することで回動角度が維持され、前記支持手段の前記回動角度維持手段に接する面には、凹部が形成され、前記回動角度維持手段は、前記支持手段の回動による前記凹部の回動軌道線上であって、前記支持手段に面する方向に断面が台形状の凸部が形成され、前記凸部の先端部分の一部は、前記凹部に係合されることを特徴とする請求項５に記載の遊技機とすることができる。
【００６８】
このように、支持手段の回動角度維持手段に接する面に凹部が形成し、回動角度維持手段の支持手段に面する方向に断面が台形状の凸部を形成し、凸部の先端部分の一部を凹部に係合することで、支持手段の回動角度を容易に維持することが可能となるとともに、支持手段を回動可能方向に回動させることで、容易に支持手段の回動角度維持状態を解除することが可能となるので、遊技機一台で転倒防止の体勢を確保でき、転倒防止作業が簡単であり、移動などの作業を行うときに転倒防止の体勢を容易に解除し得る遊技機を提供できる。
【００６９】
〈第２実施形態〉
上述した転倒防止ユニット６００とは異なる実施形態の一例である転倒防止ユニット７００の構成について図５から図７を用いて説明する。図５は、転倒防止ユニット７００が本体枠１２に設置された状態を表す斜視図である。図６は、転倒防止ユニット７００が本体枠１２に設置された状態を表す側面図である。図７は、転倒防止ユニット７００が本体枠１２に設置された状態を遊技機１０の背面側から見た状態の説明図である。
【００７０】
転倒防止ユニット７００は、図６に示すように、脚固定部材７１０と転倒防止用脚７２０とから構成されている。また、脚固定部材７１０と転倒防止用脚７２０の一方端部とは、ヒンジ部７１１において本体枠１２に回動自在に係合されている。このように、支持手段の支持された部分の一例であるヒンジ部７１１は、本体枠１２の背面より内側に設けられている。これら脚固定部材７１０、転倒防止用脚７２０は、鋼材で形成されている。なお、本実施形態では、脚固定部材７１０、転倒防止用脚７２０を鋼材で形成しているが、本発明は鋼材に限定されることなく、脚固定部材７１０、転倒防止用脚７２０を合成樹脂や木材で形成することもできる。
【００７１】
脚固定部材７１０は、図７に示すように、本体枠１２の左右一対の縦枠における開口内部側であって、縦枠の下部に左右一対が同じ高さに設置されている。さらに、脚固定部材７１０には、本体枠１２の縦枠に対して所定の角度で遊技領域１５に対して後方側へ、転倒防止用脚７２０の回動を規制する側面７１５ａが形成されている。また、脚固定部材７１０には、遊技領域１５に対して前方側へ、転倒防止用脚７２０の回動を規制する側面７１５ｂが形成されている。
【００７２】
換言すると、側面７１５ａが形成されている脚固定部材７１０は、支持手段が遊技領域に対して後方側へ所定の最大回動角度以上に回動することを規制する回動角度規制手段の一例として機能する。
【００７３】
脚固定部材７１０には、“５”個所の円柱形の凸部７１４ａ、７１４ｂ、７１４ｃ、７１４ｄ、７１４ｅが本体枠１２の開口内部側の方に凸部が形成されている。また、凸部７１４ａ、７１４ｂ、７１４ｃ、７１４ｄ、７１４ｅは、ヒンジ部７１１からの所定寸法を半径とした回動軌道線上に所定の間隔で形成されている。転倒防止用脚７２０は、当該凸部７１４ａ、７１４ｂ、７１４ｃ、７１４ｄ、７１４ｅのいずれかと、転倒防止用脚７２０に形成された穴部７２４とが係合することにより、ヒンジ部７１１を中心とした回動角度が維持される。
【００７４】
換言すると、凸部７１４ａ、７１４ｂ、７１４ｃ、７１４ｄ、７１４ｅが形成された脚固定部材７１０は、支持手段の回動角度を維持させる回動角度維持手段の一例として機能する。
【００７５】
次に、転倒防止用脚７２０は、図６および図７に示すように、一方端部がヒンジ部７１１において、脚固定部材７１０、バネ部材７１３を介して、ボルト７１２によって本体枠１２と回動自在に支持されている。また、転倒防止用脚７２０の他方端部は、ヒンジ部７１１を中心として、本体枠１２の縦枠の長手方向へ、脚固定部材７１０における側面７１５ａ、７１５ｂの間の角度で回動する。また、脚固定部材７１０のヒンジ部７１１において支持されている一方端部を軸として、本体枠１２の下枠の長手方向へ、バネ部材７１３の圧縮可能な範囲で回動する。
【００７６】
換言すると、転倒防止用脚７２０は、一方端部が前記遊技機枠体に回動自在に支持され、他方端部が遊技領域に対して後方側へ回動する支持手段の一例として機能する。
【００７７】
また、転倒防止用脚７２０は、本体枠１２の左右一対の縦枠における開口内部側であって、縦枠の下部に左右一対が同じ高さに設置されている脚固定部材７１０を介して、左右夫々に一対で配置されている。そして、転倒防止用脚７２０の一方端部は、本体枠１２の縦枠左右夫々に一対で設けられたヒンジ部７１１に左右夫々に一対で支持され、他方端部は自由端であり、ヒンジ部７１１から本体枠１２の下枠天端までの寸法以内の寸法で上方に伸びている。
【００７８】
換言すると、転倒防止用脚７２０は、一方端部が前記遊技機枠体の下部側に支持され、当該支持された部分から他方端部へ上方に延びる片持ち状の長尺状体であり、前記回動角度維持手段により回動角度を維持される支持手段の一例として機能する。
【００７９】
なお、本実施形態では、転倒防止用脚７２０の長手方向に直交する断面形状を、脚固定部材７１０に接する部分をＬ型とし、その他の部分を矩形としているが、本発明においては、矩形に限定されることなく円形、楕円形、四角形以外の多角形等と任意の形状とすることができる。
【００８０】
また、転倒防止用脚７２０には、図７に示すように、穴部７２４が形成されている。穴部７２４は、転倒防止用脚７２０のヒンジ部７１１を中心に回動した場合に、ヒンジ部７１１からの所定寸法を半径とした回動軌道線上に形成された脚固定部材７１０における凸部７１４ａ、７１４ｂ、７１４ｃ、７１４ｄ、７１４ｅと係合するように形成されている。穴部７２４は、凸部７１４ａ、７１４ｂ、７１４ｃ、７１４ｄ、７１４ｅのいずれかの凸部と係合する。
【００８１】
さらに、転倒防止用脚７２０の上部にペダル（図示なし）を付設することもできる。例えば、ペダルは、脚を掛ける平板部と、ペダルを転倒防止用脚７２０に係合するペダル取付部で構成される。平板部は、足を掛ける足掛け面を有し、例えば、足掛け面の形状を略矩形とし、鋼製で形成される。ペダル取付部は、例えば、転倒防止用脚７２０の延びる方向に対して直交する方向に回転自在に、転倒防止用脚７２０と係合されるペダル回転部材と、転倒防止用脚７２０の延びる方向から当該方向に対して鋭角を保つ範囲で回動可能とするように、上記平板部をペダル回転部材に係合させる平板回動部材とで構成される。
【００８２】
また、ペダルは、脚を掛ける平板部と、ペダルを転倒防止用脚７２０に着脱自在に係合するペダル取付部で構成することもできる。平板部は、足を掛ける足掛け面を有し、例えば、足掛け面の形状を略矩形とし、鋼製で形成される。ペダル取付部は、例えば、足掛け面が面する方向を転倒防止用脚７２０の延びる方向で維持し、転倒防止用脚７２０に係止するように形成される。
【００８３】
換言すると、ペダルは、支持手段における他方端部の近傍に係合される足掛け手段の一例として機能する。
【００８４】
転倒防止ユニット７００の作用について図５から図７を用いて説明する。
【００８５】
回動角度維持手段の一例である脚固定部材７１０は、円柱形の凸部７１４ａ、７１４ｂ、７１４ｃ、７１４ｄ、７１４ｅを支持手段の一例である転倒防止用脚７２０に形成された穴部７２４と係合する。これにより、転倒防止用脚７２０の回動を凸部７１４ａ、７１４ｂ、７１４ｃ、７１４ｄ、７１４ｅが設けられた角度で維持することが可能となる。また、凸部７１４ａ、７１４ｂ、７１４ｃ、７１４ｄ、７１４ｅを円柱形とし、凸部を深く穴部７２４と係合させることにより、遊技機１０の重量により転倒防止用脚７２０の回動方向に力が加わった場合でも、凸部７１４ａ、７１４ｂ、７１４ｃ、７１４ｄ、７１４ｅのいずれかと穴部７２４との係合が解除されることなく、転倒防止用脚７２０により、遊技機１０の重量を支持することが可能となる。
【００８６】
一方、転倒防止用脚７２０は、バネ部材７１３を介して、ボルト７１２によって本体枠１２と回動自在に支持されているので、凸部７１４ａ、７１４ｂ、７１４ｃ、７１４ｄ、７１４ｅのいずれかと穴部７２４との係合を解除する場合は、脚固定部材７１０のヒンジ部７１１において支持されている一方端部を軸として、本体枠１２の下枠の長手方向へ、バネ部材７１３の圧縮可能な範囲で回動させることで、凸部７１４ａ、７１４ｂ、７１４ｃ、７１４ｄ、７１４ｅのいずれかと穴部７２４との係合を解除し、隣接した凸部７１４ａ、７１４ｂ、７１４ｃ、７１４ｄ、７１４ｅのいずれかに係合させることで、転倒防止用脚７２０を異なる回動角度で維持することが可能となる。
【００８７】
支持手段の一例である転倒防止用脚７２０の一方端部は、本体枠１２の縦枠下部に設けられたヒンジ部７１１に支持され、他方端部は自由端であり、上方に伸びている。これにより、遊技機１０を転倒防止の体勢にする場合、足で転倒防止用脚７２０を回動させることが可能となる。また、遊技機１０を転倒防止の体勢にした場合、転倒防止用脚７２０は、略床面に接する形態となるので、転倒防止用脚７２０の上に他の遊技機１０を載置することも可能となる。
【００８８】
このように、支持手段を一方端部が遊技機枠体の下部側に支持され、この支持された部分から他方端部へ上方に延びる片持ち状の長尺状体とすることで、遊技機が直立した状態で、腰を屈めることなく、例えば、手で支持手段の他方端部を持って容易に回動させることが可能となり、更に回動角度維持手段により回動角度を維持されることで、例えば、支持手段を床面に接触するまで、遊技機を傾斜させることにより、遊技機一台で転倒防止の体勢を確保でき、転倒防止作業が簡単であり、移動などの作業を行うときに転倒防止の体勢を容易に解除し得る遊技機を提供できる。
【００８９】
なお、前記支持手段を前記回動角度維持手段に弾性体により押圧するヒンジ部を備え、前記支持手段は、前記回動角度維持手段に接する面に凹部が形成され、前記回動角度維持手段は、前記支持手段の回動による前記凹部の回動軌道線上で、前記支持手段に面する側に円柱状の凸部が形成され、前記円柱状の凸部は、前記凹部に係合され、前記支持手段を前記他方端部を軸として、前記遊技領域に対して後方側への回動方向に直交する方向であって、前記ヒンジ部における弾性体の圧縮可能な範囲で回動されることにより前記凹部における係合が解除されることを特徴とする請求項５記載の遊技機とすることができる。
【００９０】
このように、支持手段を回動角度維持手段に弾性体により押圧するヒンジ部を備え、支持手段の回動角度維持手段に接する面に凹部が形成し、回動角度維持手段の支持手段に面する方向に円柱状の凸部を形成し、凸部が凹部に係合し、支持手段を遊技領域に対して後方側への回動方向に直交する方向に回動することで凹部における係合が解除される。これにより、遊技領域に対して後方側への回動方向に遊技機の重量が掛けられた場合でも、支持手段の回動角度を容易に維持することが可能となるとともに、支持手段を遊技領域に対して後方側への回動方向に直交する方向に回動させることで、容易に支持手段の回動角度維持状態を解除することが可能となるので、遊技機一台で転倒防止の体勢を確保でき、転倒防止作業が簡単であり、移動などの作業を行うときに転倒防止の体勢を容易に解除し得る遊技機を提供できる。
【００９１】
さらに、脚を掛ける平板部とペダル取付部で構成されるペダルを転倒防止用脚７２０に付設することで、ペダル部に足を掛けることで転倒防止用脚７２０を回動させ、遊技機１０を転倒防止体勢とすることが可能となる。また、ペダル取付部は、転倒防止用脚７２０の延びる方向に対して直交する方向に回転自在とするペダル回転部材を備えているので、転倒防止用脚７２０を本体枠１２と基板ユニット４００等との間に収納する場合は、平板部を転倒防止用脚７２０を軸として回転させ収納することが可能となる。さらに、転倒防止用脚７２０の延びる方向から当該方向に対して鋭角を保つ範囲で平板部を回動可能とする平板回動部材を備えているので、転倒防止用脚７２０を回動させる場合は、平板部を回動可能範囲で回動させることにより、足を掛けられる状態とすることが可能となり、転倒防止用脚７２０を収納させる場合は、平板部を転倒防止用脚７２０の延びる方向に回動させることで、平板部を本体枠１２と基板ユニット４００等との間に収納することが可能となる。
【００９２】
また、ペダルを転倒防止用脚７２０と着脱自在にすることで、転倒防止用脚７２０を回動させる場合は、ペダルを装着し平板部に足を掛けて転倒防止用脚７２０を回動させることが可能となり、転倒防止用脚７２０の収納時には、ペダルを取外し、転倒防止用脚７２０を本体枠１２と基板ユニット４００等との間に収納することが可能となる。
【００９３】
換言すると、ペダルは、支持手段における他方端部の近傍に係合される足掛け手段の一例として機能する。
【００９４】
すなわち、前記支持手段における前記他方端部の近傍に係合される足掛け手段を備えたことを特徴とする請求項６に記載の遊技機とすることもできる。
【００９５】
このように、支持手段における他方端部の近傍に足掛け手段を備えることで、遊技機が直立した状態で、腰を屈めることなく、足を足掛け手段に掛けることで支持手段を容易に回動させることが可能となるので、遊技機一台で転倒防止の体勢を確保でき、転倒防止作業が簡単であり、移動などの作業を行うときに転倒防止の体勢を容易に解除し得る遊技機を提供できる。
【００９６】
尚、上述した実施形態においては、第１種パチンコ遊技機を例に挙げたが、これに限らず、羽根モノ、ヒコーキと称される第２種パチンコ遊技機、権利ものと称される第３種パチンコ遊技機、その他別の態様であってもよい。
【００９７】
以上、本発明の実施例を説明したが、具体例を例示したに過ぎず、特に本発明を限定するものではない。すなわち、本発明は、主に、遊技を行う遊技領域を前面側に形成する遊技機枠体と、一方端部が前記遊技機枠体に回動自在に支持され、他方端部が前記遊技領域に対して後方側へ回動する支持手段と、前記支持手段が前記遊技領域に対して後方側へ所定の最大回動角度以上に回動することを規制する回動角度規制手段とを備えたことを特徴とする遊技機であるが、遊技機枠体、支持手段、回動角度規制手段などの具体的構成は、適宜設計変更可能である。
【００９８】
尚、本発明の実施例に記載された効果は、本発明から生じる最も好適な効果を列挙したに過ぎず、本発明による効果は、本発明の実施例に記載されたものに限定されるものではない。
【図面の簡単な説明】
【００９９】
【図１】本発明の一実施形態のパチンコ遊技機における概観を示す斜視図である。
【図２】本発明の一実施形態のパチンコ遊技機における概観を示す分解斜視図である。
【図３】本発明の一実施形態のパチンコ遊技機における転倒防止ユニットを示す説明図である。
【図４】本発明の一実施形態のパチンコ遊技機における転倒防止ユニットを示す説明図である。
【図５】本発明の別実施形態のパチンコ遊技機における転倒防止ユニットを示す説明図である。
【図６】本発明の別実施形態のパチンコ遊技機における転倒防止ユニットを示す説明図である。
【図７】本発明の別実施形態のパチンコ遊技機における転倒防止ユニットを示す説明図である。
【符号の説明】
【０１００】
１０    パチンコ遊技機
１１    扉
１２    本体枠
１３    ベースドア
１４    遊技盤
１５    遊技領域
２６    発射ハンドル
３２    液晶表示装置
３２ａ    表示領域
１３０    発射装置
４００    基板ユニット
５００    球払出ユニット
５２０    球通路ケース
６００    転倒防止ユニット
６１０    脚固定ユニット
６１２    固定部材
６１４    カバー部材
６１５ａ、６１５ｂ    側面
６１６    ヒンジ部
６１８ａ〜６１８ｅ    凸部
６２０    転倒防止用脚
６２４    穴部
７００    転倒防止ユニット
７１０    脚固定部材
７１１    ヒンジ部
７１２    ボルト
７１３    バネ部材
７１４ａ〜７１４ｅ    凸部
７１５ａ、７１５ｂ    側面
７２０    転倒防止用脚
７２４    穴部
【図１】
2007075454.tif 000003
【図２】
2007075454.tif 000004
【図３】
2007075454.tif 000005
【図４】
2007075454.tif 000006
【図５】
2007075454.tif 000007
【図６】
2007075454.tif 000008
【図７】
2007075454.tif 000009